(57)【要約】【課題】通信信号を受信する側の通信機が調整信号をデータパケットのデータ部分として誤認識することのない通信装置を提供する。【解決手段】通信信号を送信する側の通信機が、通信信号を送信する前に汎用伝送符号「０」を複数個配列して成る調整信号Ｃｏを送信し、通信信号を受信する側の通信機が、調整信号Ｃｏを受信する間に通信信号を受信可能な状態に立ち上がる構成において、通信信号を送信する側の通信機は、調整信号Ｃｏの最後尾以外の一部に専用伝送符号「Ｓ」を複数個配列して成るリセット信号Ｒｅを挿入する信号挿入手段を有し、通信信号を受信する側の通信機は、リセット信号Ｒｅを受信する以前に受信した信号を無効とする無効化手段を有する。【選択図】図１
2007201837.tif 000002
【特許請求の範囲】
【請求項１】
伝送路を通してデータ通信を行う一対の通信機を備え、データを送信する側の通信機が、対象となるデータを、それぞれ２種類の汎用伝送符号の配列からデータ部分が形成され当該データ部分の前後各々に専用伝送符号が１個ずつ付加された形式の複数個のデータパケットに変換し、当該複数個のデータパケットを通信信号として順次送信しており、通信信号を送信する側の通信機が、通信信号を送信する前に前記汎用伝送符号を複数個配列して成る調整信号を送信し、通信信号を受信する側の通信機が、調整信号を受信する間に通信信号を受信可能な状態に立ち上がる通信装置であって、通信信号を送信する側の通信機は、調整信号の最後尾以外の一部に前記専用伝送符号を複数個配列して成るリセット信号を挿入する信号挿入手段を有し、通信信号を受信する側の通信機は、リセット信号を受信する以前に受信した信号を無効とする無効化手段を有することを特徴とする通信装置。
【請求項２】
前記信号挿入手段は前記専用伝送符号を３個以上配列して前記リセット信号を構成しており、データを受信する側の前記通信機は、相手側の通信機に対してデータの送信を開始させる起動信号およびデータを受信したことを通知する確認信号を相手側の通信機に前記通信信号として送信する信号送信手段を有し、データを送信する側の通信機は、起動信号および確認信号を一定周期でサンプリングして識別する信号処理手段を有し、信号送信手段は、２値を１回反転させた形の波形を持ち時間軸方向の長さがそれぞれ異なる３種類の伝送符号のうち、時間軸方向の長さが最も長い伝送符号である専用伝送符号を２個配列した後に、時間軸方向の長さが２番目に長い伝送符号である前記汎用伝送符号の１個分よりも時間軸方向に長くなる２個以上の汎用伝送符号の組み合わせを付加して起動信号および確認信号の各々を生成していることを特徴とする請求項１記載の通信装置。
【請求項３】
前記各通信機はそれぞれ２極の電極を有し、両通信機における少なくとも一方の電極は、それぞれ人体の異なる部位に接触し人体において互いの間に存在する部分に前記伝送路を形成することを特徴とする請求項１または請求項２に記載の通信装置。
【発明の詳細な説明】
【技術分野】
【０００１】
本発明は、伝送路を通してデータ通信を行う一対の通信機を備えた通信装置に関するものである。
【背景技術】
【０００２】
従来から、この種の通信装置として、対象となるデータを複数個のデータパケットに変換し、これら複数個のデータパケットを通信機から通信機に順次送信するものが知られている（たとえば特許文献１参照）。
【０００３】
データパケットとしては、３種類の伝送符号を用いて構成されるものがあり、この種のデータパケットは、具体的には、３種類の伝送符号のうち２種類の汎用伝送符号「０，１」の配列からデータ部分が形成され当該データ部分の前後各々に他の伝送符号である専用伝送符号「Ｓ」が１個ずつ付加された形式（つまり、「Ｓ…（データ）…Ｓ」の形式）となる（図３参照）。
【０００４】
この種の通信装置では、データパケットが伝送符号の組み合わせからなる通信信号として伝送されることになる。そして、各通信機は、通信信号を送信する際に、通信信号よりも前に汎用伝送符号「０」を多数個配列して成る調整信号を送信し、通信信号を受信する際には、調整信号を受信する間に通信信号を受信可能な状態に立ち上がるように構成されている。
【特許文献１】特開平６−２３３３５３号公報（第２頁）
【発明の開示】
【発明が解決しようとする課題】
【０００５】
しかし、上述した通信装置では、調整信号が送信される直前に伝送路等からノイズが混入した際に、通信信号を受信する側の通信機が前記ノイズを専用伝送符号「Ｓ」として誤認識すると、前記ノイズとデータパケットの先頭の専用伝送符号「Ｓ」との間に挟まれる調整信号を、データパケットのデータ部分として誤って認識してしまう可能性がある（図７参照）。
【０００６】
本発明は上記事由に鑑みて為されたものであって、通信信号を受信する側の通信機が調整信号をデータパケットのデータ部分として誤認識することのない通信装置を提供することを目的とする。
【課題を解決するための手段】
【０００７】
請求項１の発明では、伝送路を通してデータ通信を行う一対の通信機を備え、データを送信する側の通信機が、対象となるデータを、それぞれ２種類の汎用伝送符号の配列からデータ部分が形成され当該データ部分の前後各々に専用伝送符号が１個ずつ付加された形式の複数個のデータパケットに変換し、当該複数個のデータパケットを通信信号として順次送信しており、通信信号を送信する側の通信機が、通信信号を送信する前に前記汎用伝送符号を複数個配列して成る調整信号を送信し、通信信号を受信する側の通信機が、調整信号を受信する間に通信信号を受信可能な状態に立ち上がる通信装置であって、通信信号を送信する側の通信機は、調整信号の最後尾以外の一部に前記専用伝送符号を複数個配列して成るリセット信号を挿入する信号挿入手段を有し、通信信号を受信する側の通信機は、リセット信号を受信する以前に受信した信号を無効とする無効化手段を有することを特徴とする。
【０００８】
この構成によれば、通信信号を送信する側の通信機が、信号挿入手段によって調整信号の最後尾以外の一部に専用伝送符号を複数個配列して成るリセット信号を挿入し、通信信号を受信する側の通信機が、無効化手段によってリセット信号を受信する以前に受信した信号を無効としているので、仮に、通信信号を受信する側の通信機が、調整信号の直前に伝送路等から混入したノイズを専用伝送符号として誤認識しても、調整信号の一部に挿入されたリセット信号を受信する以前に受信した前記ノイズは無効化手段で無効となる。したがって、前記ノイズとデータパケットの先頭の専用伝送符号との間に挟まれる調整信号を、データパケットのデータ部分として誤認識することはない。
【０００９】
請求項２の発明は、請求項１の発明において、前記信号挿入手段が前記専用伝送符号を３個以上配列して前記リセット信号を構成しており、データを受信する側の前記通信機が、相手側の通信機に対してデータの送信を開始させる起動信号およびデータを受信したことを通知する確認信号を相手側の通信機に前記通信信号として送信する信号送信手段を有し、データを送信する側の通信機が、起動信号および確認信号を一定周期でサンプリングして識別する信号処理手段を有し、信号送信手段が、２値を１回反転させた形の波形を持ち時間軸方向の長さがそれぞれ異なる３種類の伝送符号のうち、時間軸方向の長さが最も長い伝送符号である専用伝送符号を２個配列した後に、時間軸方向の長さが２番目に長い伝送符号である前記汎用伝送符号の１個分よりも時間軸方向に長くなる２個以上の汎用伝送符号の組み合わせを付加して起動信号および確認信号の各々を生成していることを特徴とする。
【００１０】
この構成によれば、起動信号や確認信号を受信する側の通信機が、調整信号の直前に伝送路等から混入したノイズを専用伝送符号として誤認識しても、調整信号の一部に挿入されたリセット信号を受信する以前に受信した前記ノイズは無効化手段で無効となるので、前記ノイズと起動信号や確認信号の先頭の専用伝送符号との間に挟まれる調整信号を、データパケットのデータ部分として誤認識することはない。また、信号送信手段は、３種類の伝送符号のうち、時間軸方向の長さが最も長い伝送符号を２個配列した後に、時間軸方向の長さが２番目に長い伝送符号の１個分よりも時間軸方向に長くなる２個以上の伝送符号の組み合わせを付加して起動信号および確認信号の各々を生成しているので、起動信号および確認信号の時間軸方向の長さがそれぞれ比較的長くなる。したがって、伝送路等からノイズが混入した際に、通信機が当該ノイズを起動信号や確認信号として誤認識しにくくなる。
【００１１】
請求項３の発明は、請求項１または請求項２の発明において、前記各通信機がそれぞれ２極の電極を有し、両通信機における少なくとも一方の電極が、それぞれ人体の異なる部位に接触し人体において互いの間に存在する部分に前記伝送路を形成することを特徴とする。
【００１２】
この構成によれば、人体の一部を伝送路に含むという伝送路からノイズが混入しやすい構成であるにもかかわらず、請求項１または請求項２の構成によって、前記ノイズとデータパケットの先頭の専用伝送符号との間に挟まれる調整信号を、データパケットのデータ部分として誤認識することはないという利点がある。
【発明の効果】
【００１３】
本発明は、通信信号を送信する側の通信機が、信号挿入手段によって調整信号の最後尾以外の一部に専用伝送符号を複数個配列して成るリセット信号を挿入し、通信信号を受信する側の通信機が、無効化手段によってリセット信号を受信する以前に受信した信号を無効としているので、仮に、通信信号を受信する側の通信機が、調整信号の直前に伝送路等から混入したノイズを専用伝送符号として誤認識しても、調整信号の一部に挿入されたリセット信号を受信する以前に受信した前記ノイズは無効化手段で無効となる。したがって、前記ノイズとデータパケットの先頭の専用伝送符号との間に挟まれる調整信号を、データパケットのデータ部分として誤認識することはないという利点がある。
【発明を実施するための最良の形態】
【００１４】
（実施形態１）
本実施形態の通信装置は伝送路を通してデータ通信を行う２台の通信機Ａ，Ｂを備えている。
【００１５】
通信機Ａと通信機Ｂとの間においては、対象となるデータを、図２に示すようにそれぞれ３種類の伝送符号「０」、「１」、「Ｓ」の配列からなる複数個のデータパケットに変換して伝送する。各データパケットはそれぞれ、図３に示すように伝送符号「０」と伝送符号「１」との組み合わせからなるデータ部分を有し、このデータ部分の前後にそれぞれ伝送符号「Ｓ」が付加されることにより、「Ｓ…（データ）…Ｓ」の形式に構成される通信信号である。伝送符号は、ＨレベルとＬレベルとの２値を１回反転させた形の波形を持つ電気信号であって、各種類ごとに時間軸方向の長さがそれぞれ異なるものである。以下では、伝送符号「０」、「１」を汎用伝送符号と呼び、伝送符号「Ｓ」を専用伝送符号と呼ぶ。上記３種類の伝送符号は、図２に示すように、「０」の時間軸方向の長さがＴ、「１」の時間軸方向の長さが２Ｔ、「Ｓ」の時間軸方向の長さが３Ｔに設定されている。
【００１６】
ところで、本実施形態では通信装置として、人体の一部を通信機Ａと通信機Ｂとの間の伝送路に利用して近距離の通信を行う所謂人体通信に用いるものを例示する。
【００１７】
具体的に説明すると、本実施形態の通信装置は、図４に示すように、一方の通信機Ａが人体Ｈの腕に装着され、他方の通信機Ｂが所定位置に設置される。人体Ｈの腕に装着される通信機Ａはたとえば腕時計形に構成される。
【００１８】
各通信機Ａ，Ｂは２極の電極をそれぞれ有し、通信機Ａの第１の電極Ｐ１ａと通信機Ｂの第１の電極Ｐ１ｂとの間、および通信機Ａの第２の電極Ｐ２ａと通信機Ｂの第２の電極Ｐ２ｂとの間にそれぞれ電気的な経路を形成することにより、両通信機Ａ，Ｂ間に伝送路を形成する。通信機Ａには、腕の長手方向に沿って２極の電極Ｐ１ａ，Ｐ２ａがいずれも人体Ｈに接触するように設けられる。指先側に設けられる電極が第１の電極Ｐ１ａであって、肩側に設けられる電極が第２の電極Ｐ２ａである。
【００１９】
この通信装置では、通信機Ａを装着した人間が通信機Ｂの第２の電極Ｐ２ｂに対向する位置に立って、通信機Ａを装着した腕の指先で通信機Ｂの第１の電極Ｐ１ｂに触れることにより、通信機Ａと通信機Ｂとの間に伝送路が形成され、両通信機Ａ，Ｂ間においてデータ通信が可能になる。すなわち、人体Ｈにおける通信機Ａの第１の電極Ｐ１ａから指先までの部分によって両通信機Ａ，Ｂの第１の電極Ｐ１ａ，Ｐ１ｂ同士が電気的に接続され、人体Ｈにおける通信機Ａの第２の電極Ｐ２ａから足元までの部分、およびこの部分と通信機Ｂの第２の電極Ｐ２ｂとの静電結合によって両通信機Ａ，Ｂの第２の電極Ｐ２ａ，Ｐ２ｂ同士が電気的に接続されることになる。本実施形態の通信装置は、このようにして形成される伝送路を通すことによって、一対の通信機Ａ，Ｂ間で双方向に通信信号を伝送することができる。
【００２０】
以下に、各通信機Ａ，Ｂの構成について説明する。
【００２１】
通信機Ａは、図５（ａ）に示すように、通信信号を送信する送信部１と、通信信号を受信する受信部２と、送信部１および受信部２に接続されたマイコン（マイクロコンピュータ）３と、マイコンに接続された記憶部５および電池１３を備えている。送信部１は、交流信号を生成するとともに、送信する通信信号に基づいて前記交流信号を変調して変調信号とし、この変調信号に対応する電圧を２極の電極Ｐ１ａ，Ｐ２ａ間に印加することによって、通信信号を送信する。受信部２は、２極の電極Ｐ１ａ，Ｐ２ａ間の電圧を検出し、受信した変調信号を復調して通信信号を取り出すことによって、通信信号を受信する。マイコン３は、受信した通信信号を処理する信号処理部（信号処理手段）６と、受信部２の電源をオンオフする受信部電源制御部７と、送信部１の電源をオンオフする送信部電源制御部８と、信号処理部６を動作させるタイミングを制御する信号処理部制御部９とを備えている。信号処理部６は、受信した通信信号を一定周期でサンプリングするサンプリング部１０と、各サンプリングごとにＨレベルとＬレベルとを判別する符号判断部１１と、伝送符号の配列を判別しデータパケットを得る通信パケット判断部１２とで構成されている。
【００２２】
一方、通信機Ｂは、図５（ｂ）に示すように、通信機Ａ同様に送信部１と受信部２とマイコン３と記憶部５とを備えている。ただし、通信機Ｂでは、商用電源から電力供給を受ける電源部１３’が電池１３の代わりに設けられている。さらに、通信機Ｂは、他の処理装置を接続するためのインタフェース１４を有しており、他の処理装置との間でもデータ通信可能に構成される。
【００２３】
上述したように構成される通信装置は、たとえば人体側の通信機Ａの記憶部５に予め記憶された情報を通信機Ｂで読み取り通信機Ｂの記憶部５内の情報と照合するように動作させることによって、施設への入退時のＩＤ認証用に使用される。すなわち、人体に通信機Ａを装着しておけば、従来のように磁気カードやＩＣカードを用いることなく、ＩＤ認証を行うことができる。また、人体の健康状態を監視するシステムにも上記通信装置を使用することができ、この場合には、通信機Ａに人体の健康状態（脈拍など）を検出するセンサを設けて人体の状態を記憶部５に一旦記憶し、通信機Ａの記憶部５内の情報を通信機Ｂで定期的に読み出すことにより、通信機Ｂあるいは通信機Ｂに接続される他の処理装置において通信機Ａを装着した人体の健康状態を監視する。
【００２４】
また、各通信機Ａ，Ｂは、相手側の通信機Ａ，Ｂに対してデータ通信を開始させる起動信号、およびデータを受信したことを通知する確認信号（ＡＣＫ信号）を相手側の通信機Ａ，Ｂに通信信号として送信する信号送信手段（図示せず）をそれぞれ有する。起動信号および確認信号は、伝送するデータパケットよりも時間軸方向にそれぞれ短い通信信号である。さらに、各通信機Ａ，Ｂは、データパケットの送信時に相手側の通信機Ａ，Ｂから確認信号を受信すると相手側の通信機Ａ，Ｂへのデータパケットの伝送が伝送エラーなく正常に為されたと判断する機能をそれぞれ有する。要するに、データパケットを送信する側の通信機Ａ，Ｂは、相手側の通信機Ａ，Ｂから起動信号を受けてデータパケットの送信を開始し、データパケットの送信後には、相手側の通信機Ａ，Ｂからの確認信号を受信した場合に、データパケットが正常に伝送されたものと判断し、一方、相手側の通信機Ａ，Ｂからの確認信号を受信しなかった場合に、データパケットが正常に伝送されなかったものと判断する。
【００２５】
ここにおいて、各通信機Ａ，Ｂを起動させる構成としては、一方の通信機Ａ，Ｂが起動信号を常時送信し、両通信機Ａ，Ｂ間に伝送路が形成されると自動的にデータ通信が開始する構成としてもよいが、本実施形態では、人体に装着される通信機Ａにおいては電池を電源として用いているので、通信機Ａの待機電力を低減するように、通信機Ｂを起動するための起動スイッチ（図示せず）を通信機Ｂに設け、この起動スイッチが押操作されたときに通信機Ｂから通信機Ａに起動信号が送信される構成としてある。この構成では、通信機Ｂの待機電力も低減し、通信装置の省電力化につながる。なお、起動スイッチとしては、通信機Ｂの第１の電極Ｐ１ｂに人体が触れた際にオンとなるように、電極Ｐ１ｂの基台に組み込まれたタクトスイッチやタッチセンサなどを用いてもよい。
【００２６】
確認信号や起動信号に関しては、データパケットと区別するために、データパケットには用いることのない「ＳＳ」という専用伝送符号の配列を採用する。さらに確認信号と起動信号とを区別できるように、確認信号においては図６（ａ）に示すように「ＳＳ」の後に汎用伝送符号「０」が付加された「ＳＳ０」の形式を採用し、起動信号においては図６（ｂ）に示すように「ＳＳ」の後に汎用伝送符号「１」が付加された「ＳＳ１」の形式を採用する。そして、データを送信する側の通信機Ａ，Ｂは、信号処理部６によって、受信した通信信号を一定周期でサンプリングし、各サンプリングごとにＨレベルとＬレベルとを判別することにより、伝送符号の配列を判別して確認信号や起動信号を識別する。
【００２７】
また、各通信機Ａ，Ｂは、通信信号（データパケット、起動信号、確認信号）を送信する際に、汎用伝送符号「０」を多数個配列した調整信号を通信信号の前に送信し、かつ通信信号を受信する際には、調整信号を受信する間に通信信号を受信可能な状態に立ち上がるように構成されている。つまり、調整信号は、通信信号を受信する側の通信機Ａ，Ｂが立ち上がるのに必要な時間稼ぎに用いられる。
【００２８】
ところで、本実施形態のように人体通信に用いる通信装置においては、金属導線を伝送路とする通信装置に比べて伝送路（人体の一部）からノイズが混入しやすいので、調整信号が送信される直前にノイズが混入し、図７に示すように、通信信号を受信する側の通信機が前記ノイズ（図中Ｎｏ）を専用伝送符号「Ｓ」として誤認識することにより、前記ノイズＮｏと通信信号（図中Ｐａ）の先頭の専用伝送符号「Ｓ」との間に挟まれる調整信号（図中Ｃｏ）を、データパケットのデータ部分として誤って認識してしまう可能性が高くなる。そこで、本実施形態では、以下に説明する構成を採用することにより、通信信号を受信する側の通信機Ａ，Ｂが調整信号をデータパケットのデータ部分として誤認識することがないようにしている。
【００２９】
すなわち、調整信号における最後尾を除く一部に、図１に示すように通信信号には用いることのない「ＳＳＳＳ」という専用伝送符号の配列からなるリセット信号（図中Ｒｅ）を挿入する信号挿入手段（図示せず）と、通信信号を受信する際に、リセット信号を受信する以前に受信した信号を無効とする無効化手段（図示せず）とを両通信機Ａ，Ｂにそれぞれ設けてある。これにより、通信信号を受信する側の通信機Ａ，Ｂにおいては、調整信号に挿入されたリセット信号を受信する以前に受信した信号が無効化手段によって無効となる。したがって、仮に、通信信号を受信する側の通信機Ａ，Ｂが、調整信号が送信される直前に混入したノイズを専用伝送符号「Ｓ」として誤認識しても、その後、調整信号に挿入されたリセット信号を受信することにより前記ノイズが無効となるから、通信信号を受信する側の通信機Ａ，Ｂにおいて調整信号をデータパケットのデータ部分として誤認識することはない。
【００３０】
また、調整信号がデータパケットのデータ部分として誤認識されてしまうと、調整信号に続いて送信される通信信号の先頭の専用伝送符号「Ｓ」がデータパケットの最後尾の専用伝送符号として誤認識されることになり、この通信信号は正しく受信されないことになるが、本実施形態では、上述したように調整信号をデータパケットのデータ部分として誤認識することはないので、調整信号に続いて送信される通信信号の先頭の専用伝送符号「Ｓ」がデータパケットの最後尾の専用伝送符号として誤認識されることはなく、通信信号は正しく受信されることになる。
【００３１】
要するに、上述した構成によれば、各通信機Ａ，Ｂにおいて、リセット信号を受信する以前に受信したノイズの影響を受けることがなくなるから、調整信号が送信される前に混入したノイズによる伝送エラーの発生を阻止することができ、結果的に、通信装置の耐ノイズ性が向上するという利点がある。
【００３２】
（実施形態２）
本実施形態では、起動信号および確認信号を以下に説明する構成とすることにより、伝送路等から混入したノイズが起動信号や確認信号として誤認識されることを防止している。
【００３３】
すなわち、起動信号や確認信号を構成する各伝送符号はそれぞれ２値（ＨレベルとＬレベル）で表されるから、信号処理部６が１回のサンプリングについてノイズが起動信号や確認信号に一致する確率は１／２になる。かつ、信号処理部６が起動信号や確認信号を受信する期間内にサンプリングを複数回行う場合には、全てのサンプリング結果においてノイズが起動信号や確認信号に一致してはじめてノイズが起動信号や確認信号として誤認識されることになる。したがって、両通信機Ａ，Ｂからは何の信号も送信されていない状態でランダムな波形を持つノイズが各通信機Ａ，Ｂでそれぞれ受信される場合を想定すると、信号処理部６が時間Ｔの間にｎ回サンプリングする場合（つまり、Ｔ／ｎの周期でサンプリングする場合）に、ノイズが時間軸方向の長さＴの汎用伝送符号「０」として誤認識される確率は１／（２ｎ）となる。同様に、ノイズが長さｍＴの信号として誤認識される確率は１／（２ｍｎ）となる。したがって、ノイズが長さ２Ｔの汎用伝送符号「１」として誤認識される確率は１／（２２ｎ）となり、ノイズが長さ３Ｔの専用伝送符号「Ｓ」として誤認識される確率は１／（２３ｎ）となる。このように、時間軸方向に長い信号ほど、通信機においてノイズがこの信号として誤認識される確率は小さくなる。
【００３４】
そこで、本実施形態の通信装置では、信号送信手段が、起動信号および確認信号の各々の時間軸方向の長さが従来例よりも長くなるように、伝送符号を組み合わせて起動信号および確認信号の各々を生成している。具体的に説明すると、確認信号については、実施形態１で説明した「ＳＳ０」の信号に汎用伝送符号「１」を付加して図８（ａ）に示すように「ＳＳ０１」で表される時間軸方向の長さが９Ｔの信号とし、起動信号については、実施形態１で説明した「ＳＳ１」の信号に汎用伝送符号「０」を付加して図８（ｂ）に示すように「ＳＳ１０」で表される時間軸方向の長さが９Ｔの信号としてある。これにより、通信機Ａ，Ｂにおいて、Ｔ／ｎの周期でサンプリングする場合に、ノイズを起動信号あるいは確認信号として誤認識する確率は１／（２９ｎ）となる。ここで、本実施形態では上述の時間軸方向の長さＴを３６０μｓとし、サンプリングの周期を１８０μｓとしてある。つまり、Ｔ／ｎ＝３６０／ｎ＝１８０からｎは２になるので、ノイズが起動信号あるいは確認信号として誤認識される確率は１／２６２１４４となり、ノイズが起動信号あるいは確認信号として誤認識されることはほとんどない。
【００３５】
さらに、ここでは起動信号と確認信号とを時間軸方向に同じ長さ（９Ｔ）としてあるので、ノイズが起動信号として誤認識される確率と、ノイズが確認信号として誤認識される確率とが同じになり、これにより、起動信号と確認信号とが同等の耐ノイズ性を有することになる。その他の構成および機能は実施形態１と同様である。
【００３６】
なお、上記各実施形態では、一方の通信機Ａが人体Ｈの腕に装着され、他方の通信機Ｂが所定位置に設置される通信装置を例示したが、この構成に限らず、通信機Ｂも通信機Ａ同様に人体Ｈの腕に装着される構成とし、両通信機Ａ，Ｂをそれぞれ別の人体Ｈの腕に装着して、通信機Ａを装着した人間と通信機Ｂを装着した人間とが対向する位置に立ち、通信機Ａを装着した腕の指先と通信機Ｂを装着した腕の指先とを触れ合わせることにより、一対の通信機Ａ，Ｂ間でデータ通信できるようにした通信装置に本発明を適用してもよい。また、本発明を人体通信用以外の通信装置に適用してもよい。
【図面の簡単な説明】
【００３７】
【図１】本発明の実施形態１に用いる調整信号を示す説明図である。
【図２】同上に用いる伝送符号を示す波形図である。
【図３】同上に用いるデータパケットを示す波形図である。
【図４】同上の通信装置の使用例を示す説明図である。
【図５】同上の各通信機の構成を示すブロック図である。
【図６】（ａ）は同上に用いる確認信号を示し、（ｂ）は同じく起動信号を示す波形図である。
【図７】同上の通信機において受信した信号の一例を示す説明図である。
【図８】（ａ）は本発明の実施形態２に用いる確認信号を示し、（ｂ）は同じく起動信号を示す波形図である。
【符号の説明】
【００３８】
６  信号処理部（信号処理手段）
Ａ，Ｂ  通信機
Ｃｏ  調整信号
Ｈ  人体
Ｐ１ａ，Ｐ１ｂ，Ｐ２ａ，Ｐ２ｂ  電極
Ｒｅ  リセット信号
【図１】
2007201837.tif 000003
【図２】
2007201837.tif 000004
【図３】
2007201837.tif 000005
【図４】
2007201837.tif 000006
【図５】
2007201837.tif 000007
【図６】
2007201837.tif 000008
【図７】
2007201837.tif 000009
【図８】
2007201837.tif 000010